(57)【要約】  【課題】  就寝中に布団や毛布がずれたり、はだけ落ちる事を防止する為の安価な布団固定具を提供すること。  【解決手段】  挿入隙間から次第に狭くなる挟持体の弾性及び布団との摩擦特性を発揮する形状構成により布団及び毛布等を挟持しずれないよう固定できる事を特徴とする布団固定具。  【選択図】    図２
2008272282.tif 000002
【特許請求の範囲】
【請求項１】
挿入隙間から次第に狭くなる挟持体の弾性及び布団との摩擦特性を発揮する形状構成により布団及び毛布等を挟持しずれないよう固定できる事を特徴とする布団固定具。
【請求項２】
狭持体先端方に引っ張り取手と布団等の一端を摘んで潜らせることができる広い隙間を設けたことを特徴とする請求項１に記載の布団固定具。
【請求項３】
布団を引っ張り入れる際に指がぶつからないようにするための指抜き隙間を狭持体の中央から後部にかけ設けたことを特徴とする請求項１に記載の布団固定具。
【発明の詳細な説明】
【技術分野】
【０００１】
本発明は、主として布団と毛布がずれないよう、また滑落しないようにするための布団固定具に関する。
【背景技術】
【０００２】
就寝中に目が覚めて気付くと布団や毛布がずれていたり、はだけ落ちていて揃え直すという煩わしい事が度々あるもので、自分で直せない小さな子供や体の不自由な方は寝冷えして風邪を引いてしまうものである。それには親や看護する方が布団を掛け直してあげるというのが現在の実情である。
【０００３】
このような問題を解決するために布団と毛布を固定するものとして係止手段と開閉機構のある受容体で布団等を固定する発明が提案されており、これを特許文献１とする。
【０００４】
また、掛け布団のずれ落ち防止のものとして開閉機構の小さなクリップを紐等に取り付けられた発明が提案されており、これを特許文献２とする。
【特許文献１】特開２０００−３４２４１６
【特許文献２】特開平１１−２９０１８５
【発明の開示】
【発明が解決しようとする課題】
【０００５】
しかしながら、この特許文献１は、一定の固定力があり優れているものの構造が複雑でコストが掛かり、大きさや重さなどの使用上の違和感が生じる可能性がある。
【０００６】
また、特許文献２は、小さく軽く安価という面で優れるものの、挟み口の構造や大きさから、布団の裾やカバーだけを固定しがちであり、長時間使用や寝相の激しい方の使用では外れてしまう可能性がある。
【０００７】
本発明は、上記従来技術の問題点に鑑み、違和感なく布団と毛布を長時間強力に固定できる布団固定具を安価に提供することを目的とする。
【課題を解決するための手段】
【０００８】
上記目的を達成する為に請求項１では、挿入隙間から次第に狭くなる挟持体の弾性及び布団との摩擦特性を発揮する形状構成により布団及び毛布等を挟持しずれないよう固定する事を特徴とする。
【０００９】
これは、素材の弾性力による狭持だけでは弱く外れてしまうので、布団と線材等との摩擦特性を十分に活かした形状構成を加えて、長時間ずれない強固な固定を実現するものである。その形状構成は、例えば、狭持体の水平配置、湾曲した配置等により摩擦を増やして固定力を強固にする等の手段がある。
【００１０】
請求項２では、狭持体先端方に引っ張り取手と布団等の一端を摘んで潜らせることができる広い隙間を設けたことを特徴とする。
【００１１】
布団は厚みがあって腰がなく押しても引いても開閉機構のない狭持体に挟み込むことは困難であった。しかし、これらの発明で広い隙間から布団等の一端を入れ、取手を支えに引っ張り挟み込む事ができるようになるものである。
【００１２】
請求項３では、布団を引っ張り入れる際に指がぶつからないようにするための指抜き隙間を狭持体の中央から後部にかけ設けたことを特徴とする。
【００１３】
これにより指の怪我を防ぎ、容易に奥までしっかり布団を引き入れ固定する事ができるものである。
【発明の効果】
【００１４】
この布団固定具において、開閉機構等の複雑な構造ではない為、薄く軽く、また安価に布団固定具を提供することができる。また、布団綿を比較的潰さず、布団の綿を広く包み込んでしっかりと狭持するものであり、何度も寝返りうつような寝相でも十数日間固定することができる。また、安全で今までにない簡単な挟み方を実現するものである。
【００１５】
布団は、紙類と違い厚みがあって内包物があり柔軟である。そのような布団は、線材等との配置関係、形状構成によっては、食い込み方や摩擦の生じ方に独特の特性がある。本発明は、素材の弾性力に布団と線材の摩擦特性を利用し固定するものであるが、その作用の説明については、図面を参照しながら説明しなければならない為、通し番号００２８から００３６において詳しく説明することとする。
【発明を実施するための最良の形態】
【００１６】
次に本発明の実施の形態について図面に基づき説明する。
【００１７】
本発明の布団固定具１は、図１、図２に示す通り、外側狭持体２と内側狭持体３から成る弾性狭持体が左右対象に２つ設けられ、直線的な平行ではなく内側に湾曲して円弧状に向かい合って構成されている。それは、後に詳しく説明するが狭持部分が直線的に平行であるよりも湾曲し向かい合う構成の方が、布団との摩擦特性上、固定力が増すからである。
【００１８】
引っ張り取手４は、外側狭持体２の先端同士が円弧状に繋がって形成されており、狭持する布団等を引き入れる際、逆方向に布団固定具１を引っ張る為の取手の役割を持っている。また各狭持体の先端が突き出て目を突くなどの負傷をしない為にも円弧状であった方が良く、その安全性も兼ねている。
【００１９】
内側狭持体先端部５は、左右の内側狭持体３の先端同士が繋がり円弧状の分岐を形成しており、挟み込む布団類を左右の狭持体へスムーズに導く役割を持っている。
【００２０】
布団挿入隙間６は、引っ張り取手４と内側狭持体５との間隔を大きく設けて形成されており、その間隔を大きく設けた理由については、図６に示す通り指を入れて厚みのある掛け布団１０と毛布１１をまとめて摘み通すことができるようにする為である。また図７に示す通り、半ば布団等を入れた状態でも指を奥まで入れて取手としてしっかり握れるようにする為である。
【００２１】
これらの構成で平面的でありながら常に大きな挿入口を確保し、また安全になっている。
【００２２】
末端部７は、外側狭持体２と内側狭持体３の末端同士が繋がり円弧状に形成されており、それが左右対称に設けられている。
【００２３】
指抜き隙間８は、中央付近から末端部７の間を貫通した空間であり、図７から図８に示す通り掛け布団１０と毛布１１の一端を指で掴んで奥まで引っ張り寄せる際、指がぶつからないようにする為のものである。
【００２４】
本来、布団類は、腰がないので押し入れる事が簡単には出来ず、引っ張り入れるにも支えとなる物が無ければ厚みのある布団を簡単に入れることは出来ないものであった。しかし、このような構成で引っ張り取手４と指抜き隙間８等を有効に活用すれば、掛け布団１０と毛布１１を末端部７まで楽に引き入れ狭持させる事が可能となる。
【００２５】
この布団固定具１の素材については、弾性素材であればプラスチック、グラスファイバー等の弾性素材でも良いが、耐久性の面から弾性を有する金属の方が望ましい。
【００２６】
図３から図５については、側面等を示す参考図であり、プラスチック等で形成した場合は、強度を確保する為に太さや厚み、補強形状等が加わるので、必ずしもこれに限定するものではない。
【００２７】
尚、金属等で製造し、いずれかで接合する場合は、引っ張り取手４で接合すると、壊れた場合に手を負傷する危険性がある事から、内側狭持体先端部５において溶接等の接合をする事が望ましい。
【００２８】
以上の布団固定具１の固定する原理については、素材の弾性力が必要であるが、単に弾性力だけによって固定するものではない。
【００２９】
これより力学的な観点から布団との摩擦特性を発揮できる形状構成について説明する。
【００３０】
図９に示す通り外側狭持体２と外側狭持体３は水平に設けており、横方向への摩擦係数が大きくなる構成となっている。仮に同狭持体が垂直に並んでいた場合は、横方向に力が抜け易く素材の弾性だけでは外れてしまう。それを防ぎ強力な固定力を得る為に各狭持体を水平に設ける事が最も望ましい。それは２つの狭持体が繋がって支え合っているからこそ、水平配置が維持できるものである。
【００３１】
円弧状の２つの狭持体の間に、綿１２を大量に閉じ込めるので動かす際には大きな圧力と摩擦を生み、ずれ難い効果を上げている。
【００３２】
また、縦方向の力に対しても、２つの狭持体を湾曲させたことで摩擦を大きくしている。仮にピンセットのように直線的であった場合、その直線方向には力が抜け易く素材の弾性だけでは外れてしまう。そこで向かい合った２つの狭持体を湾曲させれば、図１０に示す通りＡ部分がハの字の摩擦効果を生じ固定力が増す訳である。
【００３３】
それをスキーで例えれば、直滑降よりもボーゲン、ハの字の方が摩擦で止まるのと同じ原理と言える。実験で観察しても同所に毛布１１が食い込み長時間外れ難くなった事が確認できた。
【００３４】
回転方向の力に対して述べれば、図１１に示す通りの使用で寝返りなどの外力を加えると１週間位で少しずつ先端が枕方向へ回転し始めることが判明した。そこで図示しないが狭持体の形状を波形や溝形状を施したり、図１３に示すようなハート型等の狭持体にすると、その回転は防ぐことができる。それはその形状が毛布１１の毛足に食い込み回転方向へのグリップ力が生じた為であり、２週間以上も固定し続けられることが確認できた。
【００３５】
その他、外側と内側の狭持する力の方向から観れば、各狭持体の先端と末端の両側に円弧状のバネが付勢されているので、バネが片側にしかないピンセットと比べ遙かに強力な狭持力を生む構成になっている。
【００３６】
以上のことから、素材の弾性だけでなく布団と線材等との摩擦特性を発揮する形状構成が加わり、長時間強力な固定が実現できるものである。
【００３７】
次に布団固定具１を使いベット等から布団等がずれ落ちないよう固定する手段について説明する。
【００３８】
布団１０と毛布１１を固定した後、図１２に示す通りベルト装着口９に、滑落防止ベルト１３を取り付けることができる。布団固定具１に繋いだ滑落防止ベルト１３は、ベットの一部に連結したり、敷き布団の裏側を通して繋ぐ等してベット等から布団１０と毛布１１がずり落ちないようにできるものである。必ずしも必要という物ではなく体の不自由な方が寝冷えしないよう用いる事ができる。
【実施例１】
【００３９】
上記で一部説明したが、図１３に示す通り、内側狭持体３から内側狭持体先端部５にかけて形状をハート形にしたものである。これにより回転方向の摩擦が強まり、少しずつ回転しながら外れるのを防ぐことができる。
【００４０】
ハート形の窪み、出っ張りは余り鋭くすると危険なので、緩やかな形状にする事が望ましい。
【００４１】
ハート形にすると横方向に少し広めになるが、その他の構成は、発明の実施の形態で説明した内容と同じである。また図１４から図１６は、その側面等を示す参考図面である。
【００４２】
以上の発明の実施の形態と実施例については、好ましい一例であり限定するものではない。
【図面の簡単な説明】
【００４３】
【図１】本発明による布団固定具の全体構成を示す正面図である。尚背面図も同じである。
【図２】本発明による布団固定具の全体構成を示す斜視図である。
【図３】本発明による布団固定具の参考平面図である。
【図４】本発明による布団固定具の参考底面図である。
【図５】本発明による布団固定具の参考右側面図である。尚左側面図も同じである。
【図６】本発明による布団固定具の布団挿入隙間から掛け布団及び毛布の一端を摘み潜らせている状態を示す斜視図である。
【図７】本発明による布団固定具の引っ張り取手を握って、掛け布団及び毛布と逆方向に引っ張ろうとしている状態を示す斜視図である。
【図８】本発明による布団固定具の引っ張り取手を握って、掛け布団及び毛布と逆方向に引っ張り固定した状態を示す斜視図である。
【図９】本発明による布団固定具を布団に固定した場合のＡ−Ａ部分断面図である。
【図１０】本発明による布団固定具を布団等に取り付けた場合に縦方向に対する摩擦が生じる箇所を示した分布図である。
【図１１】本発明による布団固定具を２個を掛け布団と毛布に固定した使用斜視図である。
【図１２】本発明による布団固定具に滑落防止ベルトを取り付けた斜視図である。
【図１３】本発明による布団固定具の他の実施例の全体構成を示す正面図である。尚背面図も同じである。
【図１４】本発明による布団固定具の他の実施例の参考平面図である。
【図１５】本発明による布団固定具の他の実施例の参考底面図である。
【図１６】本発明による布団固定具の他の実施例の参考右側面図である。尚左側面図も同じである。
【符号の説明】
【００４４】
１  布団固定具
２  外側狭持体
３  内側狭持体
４  引っ張り取手
５  内側狭持体先端部
６  布団挿入隙間
７  末端部
８  指抜き隙間
９  ベルト装着口
１０掛け布団
１１毛布
１２綿
１３滑落防止ベルト
【図１】
2008272282.tif 000003
【図２】
2008272282.tif 000004
【図３】
2008272282.tif 000005
【図４】
2008272282.tif 000006
【図５】
2008272282.tif 000007
【図６】
2008272282.tif 000008
【図７】
2008272282.tif 000009
【図８】
2008272282.tif 000010
【図９】
2008272282.tif 000011
【図１０】
2008272282.tif 000012
【図１１】
2008272282.tif 000013
【図１２】
2008272282.tif 000014
【図１３】
2008272282.tif 000015
【図１４】
2008272282.tif 000016
【図１５】
2008272282.tif 000017
【図１６】
2008272282.tif 000018